(57)【要約】  【課題】  システム内の各内線端末に関わる通話履歴情報を確認することができない。  【解決手段】  複数の内線端末２０を収容接続すると共に、各内線端末の通信接続を制御する構内交換機２２と、この構内交換機と接続する接続情報表示装置２１とを有するシステムであって、接続情報表示装置は、着信に対する内線端末の着信応答を検出すると、同着信に関わる発信者番号、同着信応答した内線端末の内線番号及び、同内線端末の着信応答時刻を含む通話履歴情報を作成する通話履歴情報作成部４２と、通話履歴情報を作成すると、この通話履歴情報を記憶する蓄積データベース４３と、記憶中の通話履歴情報の内、所定の検索条件に基づく通話履歴情報を検索する情報検索部４６と、検索結果を表示部４７に表示する制御部５０とを有している。【選択図】図２
2005244782.tif 000002
【特許請求の範囲】
【請求項１】
複数の内線端末を収容接続すると共に、各内線端末の通信接続を制御する構内交換機と、この構内交換機と接続する接続情報表示装置とを有する通話履歴表示システムであって、
前記接続情報表示装置は、
前記構内交換機にて着信に対する内線端末の着信応答を検出すると、同着信に関わる発信者番号、同着信応答した内線端末の内線番号及び、同内線端末の着信応答時刻を含む通話履歴情報を作成する通話履歴情報作成手段と、
この通話履歴情報作成手段にて通話履歴情報を作成すると、この通話履歴情報を記憶する記憶手段と、
検索コマンドを検出すると、前記記憶手段に記憶中の通話履歴情報の内、所定の検索条件に基づく通話履歴情報を検索する検索手段と、
この検索手段にて検索した通話履歴情報を表示手段に表示させる制御手段とを有することを特徴とする通話履歴表示システム。
【請求項２】
前記通話履歴情報作成手段は、
前記着信に関わる内線端末の転送応答を検出すると、同着信に関わる発信者番号、同転送応答した内線端末の内線番号及び、同内線端末の転送応答時刻を含む通話履歴情報を作成することを特徴とする請求項１記載の通話履歴表示システム。
【請求項３】
前記所定の検索条件を指定する検索条件指定手段を有することを特徴とする請求項１又は２記載の通話履歴表示システム。
【発明の詳細な説明】
【技術分野】
【０００１】
本発明は、複数の内線端末を収容接続する構内交換機と、この構内交換機に接続し、複数の内線端末の内、各内線端末の着信応答に関わる発信者番号、同内線端末の内線番号及び着信応答時刻等を含む通話履歴情報を表示する接続情報表示装置とを有する通話履歴表示システムに関する。
【背景技術】
【０００２】
従来、このような複数の内線端末を収容接続するシステムにおいては、内線端末の着信応答に関わる発信相手の発信者番号及び着信応答時刻等を含む通話履歴情報を個別管理するようなシステムはなく、例えば内線端末の通話履歴情報を確認したい場合、同内線端末のユーザ個人に直接確認するようにしていた。
【０００３】
しかしながら、内線端末のユーザであっても、数時間以内の通話履歴情報なら覚えていることもでき、その通話履歴情報の内容を確認することもできるが、例えば数日前の通話履歴情報となると、その内容を忘れてしまうことも多々あるため、内容を確認することは難しいのが現状である。
【０００４】
また、従来のシステムによれば、例えば中継台等の内線端末に、自己の内線端末への着信と他の内線端末への着信を表示する機能を設け、自己の内線端末への着信だけでなく、他の内線端末への着信をも一覧表示できるようにしたものもある(例えば特許文献１参照)。
【特許文献１】特開平７−８７２０５号公報（要約書及び図１参照）
【発明の開示】
【発明が解決しようとする課題】
【０００５】
しかしながら、上記従来の特許文献１によれば、自己の内線端末への着信だけでなく、他の内線端末への着信をも同内線端末（中継台）に一覧表示できるようにしたが、あくまでも、現在着信中の着信情報しか一覧表示することができず、さらに、仮に着信履歴情報を一覧表示することができるにしても、自己の内線端末に関わる着信履歴情報しか表示することができず、他の内線端末に関わる着信履歴情報、すなわちシステム全体の内線端末に関わる通話履歴情報までも確認することはできない。
【０００６】
さらに、上記特許文献１によれば、例えば、どの発信端末からの着信をシステム内のどの中継台で応答し、同着信をシステム内のどの内線端末に転送し、同内線端末が着信応答するといった一連の転送履歴情報を含む通話履歴情報については、なおさら、確認することもできない。
【０００７】
本発明は上記点に鑑みてなされたものであり、その目的とするところは、システム全体の内線端末に関わる通話履歴情報を簡単に確認することができる通話履歴表示システムを提供することにある。
【課題を解決するための手段】
【０００８】
上記目的を達成するために本発明の通話履歴表示システムは、複数の内線端末を収容接続すると共に、各内線端末の通信接続を制御する構内交換機と、この構内交換機と接続する接続情報表示装置とを有する通話履歴表示システムであって、前記接続情報表示装置は、前記構内交換機にて着信に対する内線端末の着信応答を検出すると、同着信に関わる発信者番号、同着信応答した内線端末の内線番号及び、同内線端末の着信応答時刻を含む通話履歴情報を作成する通話履歴情報作成手段と、この通話履歴情報作成手段にて通話履歴情報を作成すると、この通話履歴情報を記憶する記憶手段と、検索コマンドを検出すると、前記記憶手段に記憶中の通話履歴情報の内、所定の検索条件に基づく通話履歴情報を検索する検索手段と、この検索手段にて検索した通話履歴情報を表示手段に表示させる制御手段とを有するようにした。
【０００９】
本発明の通話履歴表示システムは、前記通話履歴情報作成手段が、前記着信に関わる内線端末の転送応答を検出すると、同着信に関わる発信者番号、同転送応答した内線端末の内線番号及び、同内線端末の転送応答時刻を含む通話履歴情報を作成するようにした。
【００１０】
本発明の通話履歴表示システムは、前記所定の検索条件を指定する検索条件指定手段を有するようにした。
【発明の効果】
【００１１】
上記のように構成された本発明の通話履歴表示システムによれば、構内交換機にて着信に対する内線端末の着信応答を検出すると、同着信に関わる発信者番号、同着信応答した内線端末の内線番号及び、同内線端末の着信応答時刻を含む通話履歴情報を作成し、この通話履歴情報を記憶手段に記憶すると共に、検索コマンドを検出すると、この記憶手段に記憶中の通話履歴情報を検索し、この検索した通話履歴情報を表示手段に表示するようにしたので、ユーザは、表示手段に表示中の通話履歴情報を目視することで、システム全体の内線端末に関わる通話履歴情報を簡単に確認することができる。
【００１２】
また、本発明の通話履歴表示システムによれば、着信に関わる内線端末の転送応答を検出すると、同着信に関わる発信者番号、同転送応答した内線端末の内線番号及び、同内線端末の転送応答時刻を含む通話履歴情報を作成し、この通話履歴情報を記憶手段に記憶すると共に、検索コマンドを検出すると、この記憶手段に記憶中の通話履歴情報を検索し、この検索した通話履歴情報を表示手段に表示するようにしたので、ユーザは、他の内線端末への着信転送が発生したとしても、一連の転送履歴情報を含む通話履歴情報を目視することで、システム全体の内線端末に関わる転送履歴情報を含む通話履歴情報を簡単に確認することができる。
【００１３】
本発明の通話履歴表示システムによれば、所定の検索条件、例えば通話履歴情報内の発信者番号、内線番号、着信応答時刻や転送応答時刻等を検索条件とすることで、検索条件に対応した通話履歴情報を記憶手段から検索し、この検索した通話履歴情報を表示手段に表示するようにしたので、各検索条件に対応した通話履歴情報を確認することができる。
【発明を実施するための最良の形態】
【００１４】
以下、図面に基づいて本発明の通話履歴表示システムに関わる実施の形態を示す構内交換システムについて説明する。図１は本発明の通話履歴表示システムに関わる実施の形態を示す構内交換システム全体の概略構成を示すブロック図である。
【００１５】
図１に示す構内交換システム１は、加入者端末１１と接続するＩＳＤＮデジタル公衆網１２、加入者端末１３と接続する一般アナログ公衆網１４、対向装置１５と接続するデジタル専用線１６及び、対向装置１７と接続するアナログ専用線１８と有線接続する構内交換機２２を有し、この構内交換機２２は、中継台２０Ａ（内線端末２０）、漢字電話機２０Ｂ（内線端末２０）、一般電話機２０Ｃ（内線端末２０）及び、後述する接続情報表示装置２１を収容接続するものである。
【００１６】
構内交換機２２は、ＩＳＤＮデジタル公衆網１２との通信インタフェースを司る６４ｋデジタル局線トランク（以下、単にＩＴＣと称する）３１と、一般アナログ公衆網１４との通信インタフェースを司る局線トランク（以下、単にＣＯＴと称する）３２と、デジタル専用線１６との通信インタフェースを司る１．５Ｍデジタル中継線トランク（以下、単にＤＴＩと称する）３３と、アナログ専用線１８との通信インタフェースを司る中継線トランク（以下、単にＳＦＤＴと称する）３４と、一般電話機２０Ｃとの通信インタフェースを司る内線ユニット（以下、単にＬＩＮと称する）３５と、漢字電話機２０Ｂとの通信インタフェースを司る漢字表示内線ユニット（以下、単にＫＬＩＮと称する）３６と、中継台２０Ａとの通信インタフェースを司る中継台制御ユニット（以下、単にＡＴＴＣと称する）３７と、接続情報表示装置２１との通信インタフェースを司る情報通信ユニット（以下、単にＯＣＸＩと称する）３８と、様々なデータを記憶管理する蓄積ユニット（以下、単にＣＬＩＰＭと称する）３９と、これらＩＴＣ３１，ＣＯＴ３２，ＤＴＩ３３、ＳＦＤＴ３４，ＬＩＮ３５，ＫＬＩＮ３６，ＡＴＴＣ３７，ＣＬＩＭＰ３９及びＯＣＸＩ３８間の通信路を形成すると共に、構内交換機２２全体を制御する制御装置４０とを有している。
【００１７】
接続情報表示装置２１は、構内交換機２２に収容接続される一般電話機２０Ｃ、漢字電話機２０Ｂ及び中継台２０Ａ等の内線端末２０の通話履歴情報を表示する表示機能を備えた、例えばパソコン端末に相当するものである。
【００１８】
図２は本実施の形態に関わる接続情報表示装置２１内部の概略構成を示すブロック図である。
【００１９】
図２に示す接続情報表示装置２１は、ＯＣＸＩ３８との通信インタフェースを司るＯＣＸＩインタフェース４１と、構内交換機２２にて各内線端末２０の通信接続を監視し、各内線端末２０に関わる通話履歴情報を作成する通話履歴情報作成部４２と、通話履歴情報を記憶する蓄積データベース４３と、通話履歴情報をバックアップ記憶するバックアップメモリ４４と、これら蓄積データベース４３及びバックアップメモリ４４を記憶制御する記憶制御部４５と、蓄積データベース４３又はバックアップメモリ４４に記憶中の全通話履歴情報から指定の検索条件に基づき、所望の通話履歴情報を検索する情報検索部４６と、例えば情報検索部４６にて検索した通話履歴情報等の様々な情報を画面表示する表示部４７と、この表示部４７を表示制御する表示制御部４８と、表示部４７の表示画面上のマウスによるクリック操作やスクロール操作を検出する操作検出部４９と、この接続情報表示装置２１全体を制御する制御部５０とを有している。
【００２０】
通話履歴情報作成部４２は、構内交換機２２内の内線端末２０に関わる接続制御を監視し、例えば加入者端末１１からの着信に対する内線端末２０の着信応答を検出すると、同着信に関わる加入者端末１１の発信者番号、同着信応答した内線端末２０の内線番号及び、同内線端末２０の着信応答時刻を含む通話履歴情報を作成するものである。
【００２１】
また、通話履歴情報作成部４２は、例えば加入者端末１１からの着信を中継台２０Ａが応答し、その後、同着信を一般電話機２０Ｃに転送し、この一般電話機２０Ｃが着信応答するような、着信に関わる内線端末２０の転送応答を検出すると、同着信に関わる加入者端末１１の発信者番号、同転送応答した内線端末２０（一般電話機２０Ｃ）の内線番号及び、同内線端末２０（一般電話機２０Ｃ）の転送応答時刻を含む通話履歴情報を作成するものである。
【００２２】
蓄積データベース４３は、最大１００００件までの通話履歴情報を記憶管理することができるものとする。
【００２３】
記憶制御部４５は、蓄積データベース４３に記憶中の通話履歴情報が１００００件を超えた場合、同蓄積データベース４３に記憶中の最古の通話履歴情報に新しい通話履歴情報を順次上書き更新していくものとする。
【００２４】
制御部５０は、情報検索部４６を通じて所定の検索条件を指定した検索コマンドを入力すると、所定の検索条件に対応した通話履歴情報を蓄積データベース４３（又はバックアップメモリ４４）から検索し、この検索結果である通話履歴情報を表示部４７に表示するものである。
【００２５】
尚、請求項記載の通話履歴表示システムは構内交換システム１、通話履歴情報作成手段は通話履歴情報作成部４２及び制御部５０、記憶手段は蓄積データベース４３及び制御部５０、検索手段は情報検索部４６及び制御部５０、表示手段は表示部４７、制御手段は制御部５０に相当するものである。
【００２６】
図３は接続情報表示装置２１の表示部４７に表示中の通話履歴メイン画面の一例を端的に示す説明図である。
【００２７】
図３に示す通話履歴メイン画面２００は、通話履歴情報を表示する接続情報表示エリア２０１と、選択した通話履歴情報を表示する選択情報表示エリア２０２と、各通話履歴情報の詳細情報を表示する詳細情報表示エリア２０３と、様々な機能ボタン２０４とを有している。
【００２８】
接続情報表示装置２１は、情報検索部４６にて所望の通話履歴情報を検索すると、これら通話履歴情報の内、最大１８件までの通話履歴情報を接続情報表示エリア２０１にリアルタイム表示することができるものである。尚、通話履歴情報が１８件を超えた場合、接続情報表示エリア２０１では、１８件の通話履歴情報をリアルタイム表示しているが、スクロール操作機能を利用することで１８件を超えた通話履歴情報も表示することができるものである。
【００２９】
また、接続情報表示エリア２０１に表示する通話履歴情報は、表示番号２１１と、発信者から着信者までの通信ルートを示す発信者種別２１２と、発信者の電話番号を示す発信者番号２１３と、着信応答時刻（又は転送応答時刻）又は終話時刻等を示す着信応答・終話時刻２１４と、制御装置４０が経由して接続した接続先の端末種別を示す接続先種別２１５と、接続先の内線端末２０の内線番号を示す接続先番号２１６と、応答先の端末種別を示す応答先種別２１７と、応答先の内線端末２０の内線番号を示す応答先番号２１８とを有している。
【００３０】
尚、接続情報表示エリア２０１では、表示中の通話履歴情報から所望の通話履歴情報をマウスでクリック操作すると、同所望の通話履歴情報が反転表示２２０することになる。
【００３１】
選択情報表示エリア２０２は、接続情報表示エリア２０１にて反転表示中の通話履歴情報だけを表示するものである。
【００３２】
さらに、詳細情報表示エリア２０３は、この選択情報表示エリア２０２に表示中の通話履歴情報に関わる詳細情報を表示するものであり、発信者の名称を示す発信者名２０３Ａと、着信先の部署名を示す着信部署名２０３Ｂと、着信応答先の部署名を示す応答部署名２０３Ｃとを表示するものである。
【００３３】
機能ボタン２０４は、ＯＣＸＩ３８との接続状態をオンライン／オフラインに手動で切替設定する接続ボタン２０４Ａと、通話履歴情報に関わる様々なデータを登録するためのデータ登録メニュー画面を表示させるデータ登録ボタン２０４Ｂと、データバックアップや環境設定等のユーティリティメニュー画面を表示させるユーティリティボタン２０４Ｃと、検索メニュー画面を表示させる検索ボタン２０４Ｄと、接続情報表示エリア２０１のリアルタイム表示を一時的に停止、又は再開するリアルタイム表示ボタン２０４Ｅと、通話履歴情報を表示するシステムを終了する終了ボタン２０４Ｆとを有している。尚、制御部５０は、操作検出部４９を通じて、図３に示す通話履歴メイン画面２００上の機能ボタン２０４へのクリック操作を検出し、この検出結果に基づき同機能ボタン２０４に関わる処理動作を実行するものである。
【００３４】
接続ボタン２０４Ａは、ＯＣＸＩ３８との接続状態をオンライン／オフラインに切替設定するものであるが、システム起動時においては接続状態をオンラインとしているため、接続ボタン２０４Ａの表示内容は“接続中”とし、接続ボタン２０４Ａをクリック操作すると、その接続状態をオフラインにし、そのボタンの表示内容が“非接続”となるものである。尚、接続状態をオフラインにする場合には、接続ボタン２０４Ａをクリック操作する必要があるが、この際、制御部５０は、接続ボタン２０４Ａのクリック操作を検出すると、図３に示すパスワード入力画面２３０が表示され、同パスワード入力画面２３０を使用してのパスワード認証操作が必要となる。そして、制御部５０が、パスワード認証が正常であると判定されると、接続状態をオフラインにするものである。
【００３５】
リアルタイム表示ボタン２０４Ｅは、接続情報表示エリア２０１のリアルタイム表示を一時的に停止、又は停止を再開するものであるが、リアルタイム表示中はリアルタイム表示ボタン２０４Ｅの表示内容を“表示中止”とし、同リアルタイム表示ボタン２０４Ｅをクリック操作すると、リアルタイム表示を停止し、そのリアルタイム表示ボタン２０４Ｅの表示内容が“表示再開”となるものである。
【００３６】
終了ボタン２０４Ｆは、接続情報表示装置２１における通話履歴情報の表示システムを終了するためのものであり、同終了ボタン２０４をクリック操作すると、前述したパスワード入力画面２３０が表示され、同パスワード入力画面２３０を使用してのパスワード認証操作が必要となる。尚、制御部５０は、パスワード認証が正常であると判定されると、同システムを終了し、例えば通常のＯＳメイン画面に移行するものである。
【００３７】
図４は接続情報表示エリア２０１に表示中の通話履歴情報の一例を示す説明図である。
【００３８】
例えば表示番号１〜３の通話履歴情報２４１は、発信者番号“０２４９４４××××”の加入者端末１１（加入者端末１３）からＩＴＣ３１（ＣＯＴ３２）を経由し、２００３年３月２５日の１２：００：００（着信応答時刻）に内線番号“０”の中継台２０Ａで着信応答し、さらに、同着信を内線番号“４４０”の内線端末２０（一般電話機２０Ｃ又は漢字電話機２０Ｂ）に転送し、２００３年３月２５日の１２：０１：００（転送応答時刻）に同内線端末２０で転送応答し、２００３年３月２５日の１２：１１：００に加入者端末１１（加入者端末１３）側から終話したことを示している。
【００３９】
表示番号４の通話履歴情報２４２は、発信者番号“０２４９４５××××”の加入者端末１１（加入者端末１３）からＩＴＣ３１（ＣＯＴ３２）を経由し、２００３年３月２５日の１２：２１：００（着信応答時刻）に内線番号“４４１”の内線端末２０（一般電話機２０Ｃ又は漢字電話機２０Ｂ）で着信応答し、着信側、すなわち内線端末２０側から終話したことを示している。
【００４０】
表示番号５〜６の通話履歴情報２４３は、発信者番号“０２４９４４××××”の対向装置１５からＤＴＩ３３（又はＳＦＤＴ３４）を経由し、２００３年３月２５日の１３：００：００（着信応答時刻）に内線番号“０”の中継台２０Ａで着信応答し、さらに、同着信を内線番号“４４０”の内線端末２０（一般電話機２０Ｃ又は漢字電話機２０Ｂ）に転送し、２００３年３月２５日の１３：０１：００（転送応答時刻）に同内線端末２０で転送応答し、着信側、すなわち内線端末２０側から終話したことを示している。
【００４１】
表示番号７の通話履歴情報２４４は、発信者番号“０２４９４５××××”の対向装置からＤＴＩ３３（又はＳＦＤＴ３４）を経由し、２００３年３月２５日の１３：２１：００（着信応答時刻）に内線番号“４４１”の内線端末２０（一般電話機２０Ｃ又は漢字電話機２０Ｂ）で着信応答し、着信側、すなわち内線端末２０側から終話したことを示している。
【００４２】
表示番号８の通話履歴情報２４５は、発信者番号“０２４９４４××××”の加入者端末１１（加入者端末１３）からダイヤルイン接続を行い、ＩＴＣ３１（ＣＯＴ３２）を経由し、２００３年３月２５日の１４：００：００（着信応答時刻）に内線番号“３４０”の内線端末２０（一般電話機２０Ｃ又は漢字電話機２０Ｂ）で着信応答し、着信側、すなわち内線端末２０側から終話したことを示している。
【００４３】
表示番号９の通話履歴情報２４６は、発信者番号“０２４９４４××××”の加入者端末１１（加入者端末１３）からダイレクトインライン接続を行い、ＩＴＣ３１（ＣＯＴ３２）を経由し、２００３年３月２５日の１５：００：００（着信応答時刻）に、所定の内線番号“３６０”の内線端末２０（一般電話機２０Ｃ又は漢字電話機２０Ｂ）で着信応答し、着信側、すなわち内線端末２０側から終話したことを示している。
【００４４】
表示番号１０の通話履歴情報２４７は、発信者番号“０２４９４４××××”の加入者端末１１（加入者端末１３）からダイレクトインダイヤル接続を行い、ＩＴＣ３１（ＣＯＴ３２）を経由し、２００３年３月２５日の１６：００：００（着信応答時刻）に、制御装置４０に登録されている内線番号“３８０”の内線端末２０（一般電話機２０Ｃ又は漢字電話機２０Ｂ）で着信応答し、着信側、すなわち内線端末２０側から終話したことを示している。
【００４５】
従って、接続情報表示装置２１のユーザは、接続情報表示エリア２０１に表示中の通話履歴情報を目視することで、各内線端末８の着信応答、転送応答及び終話に関わる情報を認識することができる。
【００４６】
図５は接続情報表示装置２１のデータ登録メニューに関わる動作及び、その表示画面の動作遷移を端的に示す説明図である。
【００４７】
接続情報表示装置２１の制御部５０は、操作検出部４９を通じて、図３に示す通話履歴メイン画面２００上のデータ登録ボタン２０４Ｂのクリック操作を検出すると（ステップＳ１０１）、図３に示すパスワード入力画面２３０を表示部４７に表示する。
【００４８】
制御部５０は、操作検出部４９を通じてパスワード入力画面２３０に入力されたパスワードが正しいと確認されると（ステップＳ１０２）、データ登録メニュー画面３００を表示することになる（ステップＳ１０３）。
【００４９】
データ登録メニュー画面３００には、発信者種別登録画面３１０を表示する発信種別登録ボタン３０１と、接続先／応答先種別登録画面３２０を表示する接続先／応答先種別登録ボタン３０２と、発着信データ登録画面３３０を表示する発着信データ登録ボタン３０３と、元の通話履歴メイン画面２００に戻るキャンセルボタン３０４とを有している。
【００５０】
制御部５０は、操作検出部４９を通じてデータ登録画面３００上の発信者種別登録ボタン３０１のクリック操作を検出すると、発信者種別登録画面３１０を表示することになる（ステップＳ１０４）。
【００５１】
発信者種別登録画面３１０は、通話履歴情報の発信者種別名を登録するための登録操作画面であり、発信者種別３１１Ａ及び発信者種別名３１１Ｂで構成する発信者種別情報を表示する発信者種別情報表示エリア３１１と、発信者種別情報を新規追加するための追加ボタン３１２と、登録済みの発信者種別情報の登録内容を変更する変更ボタン３１３と、登録済みの発信者種別情報の登録内容を削除する削除ボタン３１４と、登録済みの発信者種別情報の登録内容をプリント出力する印刷ボタン３１５と、元のデータ登録メニュー画面３００に戻るキャンセルボタン３１６とを有している。尚、制御部５０は、発信者種別情報の変更中又は変更後にキャンセルボタン３１６のクリック操作を検出すると、この変更中又は変更後の発信者種別情報を登録するか否かを示す確認画面を表示部４７に表示するものとする。
【００５２】
尚、この発信者種別登録画面３１０では、初期設定で、９件分（０：内線、１：中継台、２：中継線（発信）、３：中継線（着信）、４：局線（発信）、５：局線（一般着信）、６：局線（ＤＩ）、７：局線（ＤＩＤ）、８：局線（ＤＩＬ）、９：局線迂回発信、Ａ：局線迂回着信）の発信者種別情報が登録されており、最大２０件までの発信者種別情報を登録することができるものである。
【００５３】
また、制御部５０は、操作検出部４９を通じて、ステップＳ１０３のデータ登録メニュー画面３００上の接続先／応答先種別登録ボタン３０２のクリック操作を検出すると、接続先／応答先種別登録画面３２０を表示することになる（ステップＳ１０５）。
【００５４】
接続先／応答先種別登録画面３２０は、通話履歴情報の接続先種別名や応答先種別名を登録するための登録操作画面であり、接続先／応答先種別３２１Ａ及び接続先／応答先種別名３２１Ｂで構成する接続先／応答先種別情報を表示する接続先／応答先種別情報表示エリア３２１と、接続先／応答先種別情報を新規追加するための追加ボタン３２２と、登録済みの接続先／応答先種別情報の登録内容を変更する変更ボタン３２３と、登録済みの接続先／応答先種別情報の登録内容を削除する削除ボタン３２４と、登録済みの接続先／応答先種別情報の登録内容をプリント出力する印刷ボタン３２５と、元のデータ登録メニュー画面３００に戻すキャンセルボタン３２６とを有している。尚、制御部５０は、接続先／応答先種別情報の変更中又は変更後にキャンセルボタン３２６のクリック操作を検出すると、この変更中又は変更後の接続先／応答先種別情報を登録するか否かを示す確認画面を表示部４７に表示するものとする。
【００５５】
接続先／応答先種別登録画面３２０では、初期設定で９件分（０：内線、１：中継台、２：中継線（発信）、３：中継線（着信）、４：局線（発信）、５：局線（一般着信）、６：局線（ＤＩ）、７：局線（ＤＩＤ）、８：局線（ＤＩＬ）、９：局線迂回発信、Ａ：局線迂回着信）の接続先／応答先種別情報が登録されており、最大２０件までの接続先／応答先種別情報を登録することができるものである。
【００５６】
また、図５において制御部５０は、操作検出部４９を通じて、ステップＳ１０３のデータ登録メニュー画面３００上の発着信データ登録ボタン３０２のクリック操作を検出すると、発着信データ登録画面３３０を表示することになる（ステップＳ１０６）。
【００５７】
発着信データ登録画面３３０は、通話履歴情報の詳細情報、例えば発信者名、着信者名、着信部署名や応答部署名等の発着信者情報を登録するための登録操作画面であり、発着信番号（発信者番号又は着信者の内線番号）３３１Ａ及び発着信者名（発信者名、又は着信者名、着信部署名、応答部署名）３３１Ｂで構成する発着信者情報を表示する発着信者情報表示エリア３３１と、発着信者情報を新規追加するための追加ボタン３３２と、登録済みの発着信者情報の登録内容を変更する変更ボタン３３３と、登録済みの発着信者情報の登録内容を削除する削除ボタン３３４と、登録済みの発着信者情報の登録内容をプリント出力する印刷ボタン３３５と、元のデータ登録メニュー画面３００に戻すキャンセルボタン３３６とを有している。尚、制御部５０は、発着信者情報の変更中又は変更後にキャンセルボタン３３６のクリック操作を検出すると、この変更中又は変更後の発着信者情報を登録するか否かを示す確認画面を表示部４７に表示するものである。
【００５８】
この発着信データ登録画面３３０上では、最大２１５００件までの発着信者情報を登録することができるものとする。
【００５９】
図６乃至図８は接続情報表示装置２１のユーティリティメニューに関わる動作及び、その表示画面の動作遷移を端的に示す説明図である。
【００６０】
接続情報表示装置２１の制御部５０は、操作検出部４９を通じて図３に示す通話履歴メイン画面２００上のユーティリティボタン２０４Ｃのクリック操作を検出すると（ステップＳ１１１）、前述したパスワード入力画面２３０を表示部４７に表示する。
【００６１】
制御部５０は、操作検出部４９を通じてパスワード入力画面２３０に入力されたパスワードが正しいと確認されると（ステップＳ１１２）、ユーティリティメニュー画面４００を表示することになる（ステップＳ１１３）。
【００６２】
ユーティリティメニュー画面４００は、変換データバックアップ／リストア画面４１０を表示する変換データバックアップ／リストアボタン４０１と、ＣＳＶファイル変換画面４２０を表示するＣＳＶファイル変換ボタン４０２と、蓄積データリストア画面４３０を表示する蓄積データリストアボタン４０３と、環境設定画面４４０を表示する環境設定ボタン４０４と、全通話履歴表示画面４５０を表示する全通話履歴表示ボタン４０５と、元の通話履歴メイン画面２００を表示するキャンセルボタン４０６とを有している。
【００６３】
制御部５０は、操作検出部４９を通じて、ユーティリティメニュー画面４００上の変換データバックアップ／リストアボタン４０１のクリック操作を検出すると、変換データバックアップ／リストア画面４１０を表示することになる（ステップＳ１１４）。
【００６４】
変換データバックアップ／リストア画面４１０は、図５のデータ登録メニュー画面３００で登録した発信者種別情報（発信者種別３１１Ａ及び発信者種別名３１１Ｂ）、接続先／応答先種別情報（接続先／応答先種別３２１Ａ及び接続先／応答先種別名３２１Ｂ）及び、発着信者名情報（発着信番号３３１Ａ及び発着信者名３３１Ｂ）等の登録データを指定したドライブ（蓄積データベース４３又はバックアップメモリ４４）にバックアップ又はリストアするための操作画面であり、複写元ドライブを指定する複写元ドライブ指定欄４１１と、複写先ドライブを指定する複写先ドライブ指定欄４１２と、発信者種別情報、接続先／応答先種別情報及び発着信者名情報の内、バックアップ対象又はリストア対象の情報を選択する選択ボックス４１３と、バックアップ又はリストアを開始するＯＫボタン４１４と、元のユーティリティメニュー画面４００に戻すキャンセルボタン４１５とを有している。
【００６５】
尚、登録データのデータバックアップを実行する場合、複写元ドライブ指定欄４１１は蓄積データベース４３（例えばハードディスクドライブ）を、複写先ドライブ指定欄４１２はバックアップメモリ４４（例えばフロッピディスクドライブ等）を指定するものである。また、登録データのデータリストアを実行する場合、複写元ドライブ指定欄４１１はバックアップメモリ４４（例えばフロッピディスクドライブ）を、複写先ドライブ指定欄４１２はバックアップメモリ４３（例えばハードディスクドライブ）を指定するものである。
【００６６】
この変換データバックアップ／リストア画面４１０上で複写元ドライブ指定欄４１１をハードディスクドライブ（例えば蓄積データベース４３）、複写先ドライブ指定欄４１２をフロッピディスクドライブ、選択ボックス４１３を発信者種別情報とした後、制御部５０は、画面上のＯＫボタン４１４のクリック操作を検出すると、記憶制御部４５を通じて、ハードディスクドライブ（例えば蓄積データベース４３）に登録済みの登録情報から発信者種別情報をフロッピディスクに複写することになる。尚、複写動作が完了すると、複写動作の成功の可否を示す“ＯＫ”又は“ＮＧ”を表示することで、複写動作の成功の可否をユーザに報知するものとする。
【００６７】
また、制御部５０は、操作検出部４９を通じて、ステップＳ１１３のユーティリティメニュー画面４００上のＣＳＶファイル変換ボタン４０２のクリック操作を検出すると、ＣＳＶファイル変換画面４２０を表示することになる（ステップＳ１１４）。
【００６８】
ＣＳＶファイル変換画面４２０は、蓄積データベース４３に記憶中の通話履歴情報をＣＳＶファイル形式でバックアップするための操作画面であり、バックアップ対象の期限範囲を指定する期限範囲指定欄４２１と、ＣＳＶファイル形式でのバックアップを開始するＯＫボタン４２２と、元のユーティリティメニュー画面４００に戻るキャンセルボタン４２３とを有している。
【００６９】
制御部５０は、ＣＳＶファイル変換画面４２０上の期限範囲指定欄４２１で期限範囲を指定した後、ＯＫボタン４２２のクリック操作を検出すると、記憶制御部４５を通じて蓄積データベース４３から期限範囲に対応した通話履歴情報をＣＳＶファイル形式で取得し、ファイル選択画面４２０Ａを表示することになる（ステップＳ１１６）。
【００７０】
ファイル選択画面４２０Ａは、制御部５０の記憶制御部４５を通じて取得したＣＳＶファイル形式の通話履歴情報をバックアップする保存先ドライブ（例えばバックアップメモリ４４）を指定する保存先ドライブ指定欄４２１Ａと、この保存先ドライブ内のフォルダ名を指定するフォルダ先指定欄４２２Ａと、このＣＳＶファイルのファイル名を指定するファイル先指定欄４２３Ａと、ＣＳＶファイル形式の通話履歴情報の保存動作を開始するＯＫボタン４２４Ａと、元のＣＳＶファイル変換画面４２０に戻るキャンセルボタン４２５Ａとを有している。
【００７１】
制御部５０は、ファイル選択画面４２０Ａ上のＯＫボタン４２４Ａのクリック操作を検出すると、保存先ドライブ指定欄４２１Ａ及びフォルダ先指定欄４２２Ａで指定した、例えばバックアップメモリ４４（フロッピディスクドライブ）内のフォルダ内に、ファイル指定欄４２３Ａで指定したファイル名で、記憶制御部４５を通じて、ＣＳＶファイル形式の通話履歴情報をバックアップ記憶することになる。
【００７２】
また、制御部５０は、操作検出部４９を通じて、ステップＳ１１３のユーティリティメニュー画面４００上の蓄積データリストアボタンのクリック操作を検出すると、蓄積データリストア画面４３０を表示することになる（ステップＳ１１７）。
【００７３】
蓄積データリストア画面４３０は、バックアップメモリ４４（フロッピディスクドライブ）にバックアップ記憶した通話履歴情報を蓄積データベース４３にリストアするための操作画面であり、リストア元（例えばバックアップメモリ４４）を指定するリストア元指定欄４３１と、蓄積データベース４３へのリストア動作を開始するＯＫボタン４３２と、元のユーティリティメニュー画面４００に戻るキャンセルボタン４３３とを有している。
【００７４】
制御部５０は、蓄積データリストア画面４３０上のＯＫボタン４３３のクリック操作を検出すると、記憶制御部４５を通じて、リストア元指定欄４３１で指定したリストア元（例えばバックアップメモリ４４）に記憶中の通話履歴情報を蓄積データベース４３にリストアすることになる。
【００７５】
図７において制御部５０は、操作検出部４９を通じて、ステップＳ１１３のユーティリティメニュー画面４００上の環境設定ボタン４０４のクリック操作を検出すると、環境設定画面４４０（４４０Ａ，４４０Ｂ，４４０Ｃ）を表示することになる（ステップＳ１１８、１１９，１２０）。
【００７６】
環境設定画面４４０は、通信条件、パスワード及び定期バックアップの各種環境情報を設定することができる操作画面であり、ステップＳ１１８の通信条件設定画面４４０Ａを表示する通信条件設定タブ４４１Ａと、ステップＳ１１９のパスワード設定画面４４０Ｂを表示するパスワード設定タブ４４１Ｂと、ステップＳ１２０の定期バックアップ設定画面４４０Ｃを表示する定期バックアップ設定タブ４４１Ｃとを有している。
【００７７】
制御部５０は、環境設定画面４４０上の通信条件設定タブ４４１Ａのクリック操作を検出すると、ステップＳ１１８の通信条件設定画面４４０Ａを表示する。
【００７８】
この通信条件設定画面４４０Ａは、通信条件を設定する操作画面であり、通信ポートを指定する通信ポート指定欄４４２Ａと、通信速度を指定する通信速度指定欄４４３Ａと、データ長を指定するデータ長指定欄４４４Ａと、ストップビットを指定するストップビット指定欄４４５Ａと、パリティスイッチを指定するパリティスイッチ指定欄４４６Ａと、指定した通信条件を反映させるＯＫボタン４４７Ａと、通信条件を初期設定するデフォルトボタン４４８Ａと、元のユーティリティメニュー画面４００に戻すキャンセルボタン４４９Ａとを有している。
【００７９】
制御部５０は、操作検出部４９を通じてＯＫボタン４４７Ａのクリック操作を検出すると、通信条件設定画面４４０上で指定した通信条件を設定することになる。
【００８０】
また、制御部５０は、環境設定画面４００上のパスワード設定タブ４４１Ｂのクリック操作を検出すると、ステップＳ１１９のパスワード設定画面４４０Ｂを表示する。
【００８１】
このパスワード設定画面４４０Ｂは、パスワードを変更する操作画面であり、旧パスワードを入力する旧パスワード入力欄４４２Ｂと、新パスワードを入力する新パスワード入力欄４４３Ｂと、新パスワードを設定登録するＯＫボタン４４４Ｂと、元のユーティリティメニュー画面４００に戻すキャンセルボタン４４５Ｂとを有している。
【００８２】
制御部５０は、操作検出部４９を通じてＯＫボタン４４４Ｂのクリック操作を検出すると、パスワード設定画面４４０Ｂ上で指定した新しいパスワードを設定登録することになる。
【００８３】
また、制御部５０は、環境設定画面４４０上の定期バックアップ設定タブ４４１Ｃのクリック操作を検出すると、ステップＳ１１９の定期バックアップ設定画面４４０Ｃを表示する。
【００８４】
この定期バックアップ設定画面４４０Ｃは、定期バックアップを設定する操作画面であり、定期バックアップを実行するか否かを指定するバックアップ実行指定欄４４２Ｃと、定期バックアップ開始時刻を指定する定期バックアップ設定時刻指定欄４４３Ｃと、バックアップ保存先を指定するバックアップ先指定欄４４４Ｃと、指定した定期バックアップ条件を反映させるＯＫボタン４４５Ｃと、元のユーティリティメニュー画面４００に戻すキャンセルボタン４４６Ｃとを有している。
【００８５】
制御部５０は、定期バックアップ画面４４０Ｃ上のＯＫボタン４４５Ｃのクリック操作を検出すると、定期バックアップ時刻指定欄４４３Ｃで設定した定期バックアップ時刻及びバックアップ先指定欄４４４Ｃに指定したバックアップ保存先であるバックアップメモリ４４（例えばフロッピディスクドライブ）を設定することになる。
【００８６】
従って、制御部５０は、定期バックアップ時刻になると、自動的に蓄積データベース４３に記憶中の全通話履歴情報をバックアップ保存先に保存することになる。
【００８７】
次に図８において制御部５０は、ステップＳ１１３のユーティリティメニュー画面４００上の全通話履歴表示ボタン４０５のクリック操作を検出すると、全通話履歴表示画面４５０を表示することになる（ステップＳ１２１）。
【００８８】
全通話履歴表示画面４５０は、着信情報及び終話情報に関わる通話履歴情報のみを表示する着信情報表示選択欄４５１と、発信情報及び終話情報に関わる通話履歴情報のみを表示する発信情報表示選択欄４５２と、全通話履歴情報を表示する全発着信情報表示選択欄４５３と、これら着信情報表示選択欄４５１、発信情報表示選択欄４５２又は全発着信情報表示選択欄４５３にて選択した条件に基づく検索結果である通話履歴情報を表示する通話履歴情報表示エリア４５４と、後述する検索ボタン４５５と、元のユーティリティメニュー画面４００に戻すキャンセルボタン４５６とを有している。
【００８９】
次に図９は接続情報表示装置２１の検索メニューに関わる動作及び、その表示画面の動作遷移を端的に示す説明図である。
【００９０】
接続情報表示装置２１の制御部５０は、操作検出部４９を通じて、図３に示す通話履歴メイン画面２００上の検索ボタン２０４Ｄのクリック操作を検出すると（ステップＳ１３１）、前述したパスワード入力画面２３０を表示部４７に表示する。
【００９１】
制御部５０は、操作検出部４９を通じてパスワード入力画面２３０に入力されたパスワードが正しいと確認されると（ステップＳ１３２）、検索メニュー画面５００を表示することになる（ステップＳ１３３）。
【００９２】
検索メニュー画面５００は、所望の通話履歴情報を検索するための検索条件を指定すると共に、検索条件に基づき通話履歴情報を検索する操作画面であり、検索元のデータを選択する検索元選択欄５０１と、検索対象の期間範囲を検索条件として指定する検索期間範囲指定欄５０２と、例えば発信者種別、発信者番号や応答先種別等の種別を検索条件として選択する種別条件選択欄５０３と、後述する検索条件入力欄５０４と、検索動作を開始するＯＫボタン５０５と、元の通話履歴メイン画面２００に戻るキャンセルボタン５０６とを有している。
【００９３】
検索元選択欄５０１は、通話履歴情報を検索する検索元、すなわち蓄積データベース４３に記憶中の全通話履歴情報（表示データ）又はバックアップメモリ４４に記憶中のＣＳＶファイル形式の通話履歴情報（ＣＳＶファイル）の何れか一つを選択するものである。
【００９４】
種別条件選択欄５０３は、発信者種別、発信者番号、接続先種別、接続先番号、応答先種別、応答先番号、終話の何れかの種別を検索条件として選択するものである。
【００９５】
検索条件入力欄５０４は、例えば種別条件選択欄５０３にて発信者種別（接続先種別、応答先種別）を選択すると、検索対象の発信者種別名（接続先種別名、応答先種別名）を入力するものである。また、検索条件入力欄５０４は、同様に、例えば種別条件選択欄５０３にて発信者番号（接続先番号、応答先番号）を選択すると、検索対象の発信者番号（接続先番号、応答先番号）を入力するものである。
【００９６】
制御部５０は、検索メニュー画面５００上にて検索元選択欄５０１を表示データ、検索期間範囲指定欄５０２を２００３年３月１９日〜２００３年４月１９日、種別条件選択欄５０３を発信者番号、検索条件入力欄５０４を“０２４９４４ＸＸＸＸ”とし、ＯＫボタン５０５のクリック操作を検出すると、情報検索部４６を通じて蓄積データベース４３に記憶中の全通話履歴情報から、２００３年３月１９日〜２００３年４月１９日の間で発信者番号が“０２４９４４ＸＸＸＸ”に関わる通話履歴情報を検索し、この検索した通話履歴情報を検索結果画面５１０として表示することになる（ステップＳ１３４）。
【００９７】
検索結果画面５１０は、検索結果である通話履歴情報のヒット件数を表示する件数表示部５１１と、検索結果の通話履歴情報を表示する通話履歴情報表示エリア５１２と、同検索結果を設定保存先に保存する保存ボタン５１３と、同検索結果をプリント出力する印刷ボタン５１４と、同検索結果画面５１０を終了する終了ボタン５１５とを有している。
【００９８】
通話履歴情報表示エリア５１２は、最大１８件までの通話履歴情報をリアルタイム表示するものである。
【００９９】
制御部５０は、保存ボタン５１３のクリック操作を検出すると、ファイル選択画面５２０を表示することになる（ステップＳ１３５）。
【０１００】
ファイル選択画面５２０は、同検索結果を保存する保存先ドライブを指定する保存先ドライブ指定欄５２１と、保存先ドライブ内のフォルダ名を指定するフォルダ先指定欄５２２と、ファイル名を指定するファイル先指定欄５２３と、保存動作を開始するＯＫボタン５２４と、元の検索結果画面５１０に戻るキャンセルボタン５２５とを有している。
【０１０１】
制御部５０は、操作検出部４９を通じて、ファイル選択画面５２０上のＯＫボタン５２４のクリック操作を検出すると、保存先ドライブ指定欄５２１及びフォルダ先指定欄５２２で指定したフォルダ内に、ファイル指定欄５２３で指定したファイル名で検索結果を保存することになる。
【０１０２】
また、制御部５０は、操作検出部４９を通じて、検索結果画面５１０上の保存ボタン５１３のクリック操作を検出すると、ステップＳ１３５にてファイル選択画面５２０を表示するようにしたが、例えば検索メニュー画面５００上のＯＫボタン５０５のクリック操作を検出し、その検索結果が取得されると、ステップＳ１３５のファイル選択画面５２０へ移行するようにしても良い。
【０１０３】
また、制御部５０は、ステップＳ１３３の検索メニュー画面５００上にて検索元選択欄５０１をＣＳＶファイル、検索期間範囲指定欄５０２を２００３年３月１９日〜２００３年４月１９日、種別条件選択欄５０３を発信者番号、検索条件入力欄５０４を“０２４９４４ＸＸＸＸ”とし、ＯＫボタン５０５のクリック操作を検出すると、情報検索部４６を通じてバックアップメモリ４４に記憶中のＣＳＶファイルから、２００３年３月１９日〜２００３年４月１９日の間で発信者番号が“０２４９４４ＸＸＸＸ”に関わる通話履歴情報のＣＳＶファイルを検索し、この検索した通話履歴情報を検索結果画面５１０として表示すべく、ステップＳ１３４に移行することになる。
【０１０４】
本実施の形態によれば、構内交換機２２を通じて着信に対する内線端末２０の着信応答を検出すると、同着信に関わる発信者番号、同着信応答した内線端末２０の内線番号（接続先番号、応答先番号）及び、同内線端末２０の着信応答時刻を含む通話履歴情報を作成し、この通話履歴情報を蓄積データベース４３に記憶すると共に、検索コマンドを検出すると、この蓄積データベース４３に記憶中の通話履歴情報を検索し、この検索した通話履歴情報を表示部４７に表示するようにしたので、ユーザは、例えば図９に示す検索結果画面５１０に表示中の通話履歴情報を目視することで、システム全体の各内線端末２０に関わる通話履歴情報を簡単に確認することができる。
【０１０５】
また、本実施の形態によれば、着信に関わる内線端末２０の転送応答を検出すると、同着信に関わる発信者番号、同転送応答した内線端末２０の内線番号（接続先番号及び応答先番号）及び、同内線端末２０の転送応答時刻を含む通話履歴情報を作成し、この通話履歴情報を蓄積データベース４３に記憶すると共に、検索コマンドを検出すると、この蓄積データベース４３に記憶中の通話履歴情報を検索し、この検索した通話履歴情報を表示部４７に表示するようにしたので、ユーザは、他の内線端末２０への着信転送が発生したとしても、その転送応答時刻を含む通話履歴情報を目視することで、システム全体の各内線端末２０に関わる転送履歴情報を含む通話履歴情報を簡単に確認することができる。
【０１０６】
本実施の形態によれば、所定の検索条件、例えば通話履歴情報内の発信者番号、内線番号（接続先番号や応答先番号）、着信応答時刻（転送応答時刻）等を検索条件とすることで、検索条件に対応した通話履歴情報を蓄積データベース４３から検索し、この検索した通話履歴情報を表示部４７に表示するようにしたので、各検索条件に対応した通話履歴情報を確認することができる。
【産業上の利用可能性】
【０１０７】
本発明の通話履歴表示システムによれば、構内交換機に収容接続する各内線端末の着信応答や転送応答に関わる通話履歴情報を作成し、これら通話履歴情報を記憶管理し、検索コマンドに応じて、記憶管理中の通話履歴情報から所望の通話履歴情報を検索し、この検索結果を表示するようにしたので、システム全体の各内線端末に関わる通話履歴情報を把握しておきたいとする要請の高い、例えばテレホンショッピング等の電話中継台システムに有用である。
【図面の簡単な説明】
【０１０８】
【図１】本発明の通話履歴表示システムにおける実施の形態を示す構内交換システム全体の概略構成を示すブロック図である。
【図２】本実施の形態に関わる接続情報表示装置内部の概略構成を示すブロック図である。
【図３】本実施の形態に関わる接続情報表示装置の表示部に表示中の通話履歴メニュー画面の一例を端的に示す説明図である。
【図４】本実施の形態に関わる接続情報表示装置の接続情報表示エリアに表示中の通話履歴情報の一例を端的に示す説明図である。
【図５】本実施の形態に関わる接続情報表示装置のデータ登録メニューに関わる動作及び、その表示画面の動作遷移を端的に示す説明図である。
【図６】本実施の形態に関わる接続情報表示装置のユーティリティメニューに関わる動作及び、その表示画面の動作遷移を端的に示す説明図である。
【図７】本実施の形態に関わる接続情報表示装置のユーティリティメニューに関わる動作及び、その表示画面の動作遷移を端的に示す説明図である。
【図８】本実施の形態に関わる接続情報表示装置のユーティリティメニューに関わる動作及び、その表示画面の動作遷移を端的に示す説明図である。
【図９】本実施の形態に関わる接続情報表示装置の検索メニューに関わる動作及び、その表示画面の動作遷移を端的に示す説明図である。
【符号の説明】
【０１０９】
１  構内交換システム（通話履歴表示システム）
２０  内線端末
２１  接続情報表示装置
２２  構内交換機
４２  通話履歴情報作成部（通話履歴情報作成手段）
４３  蓄積データベース（記憶手段）
４６  情報検索部（検索手段）
４７  表示部（表示手段）
５０  制御部（通話履歴情報作成手段、記憶手段、検索手段、制御手段）
【図１】
2005244782.tif 000003
【図２】
2005244782.tif 000004
【図３】
2005244782.tif 000005
【図４】
2005244782.tif 000006
【図５】
2005244782.tif 000007
【図６】
2005244782.tif 000008
【図７】
2005244782.tif 000009
【図８】
2005244782.tif 000010
【図９】
2005244782.tif 000011